(57)【要約】【課題】紙葉類処理装置の操作性を向上させることを課題とする。【解決手段】紙葉類処理装置１は、紙葉類の投入及び排出の少なくとも一方が行われる開口１２１、１３１を有する開口部１２、１３と、施錠可能な収納庫扉２２１、２２２を複数有する収納庫２０と、前記開口１２１、１３１と前記収納庫２０との間で紙葉類を搬送する搬送部１５とを備え、複数の前記収納庫扉２２１、２２２は、互いに異なる方向から開放される。【選択図】図１
2018152030.tif 000002
【特許請求の範囲】
【請求項１】
紙葉類の投入及び排出の少なくとも一方が行われる開口を有する開口部と、
施錠可能な収納庫扉を複数有する収納庫と、
前記開口と前記収納庫との間で紙葉類を搬送する搬送部とを備え、
複数の前記収納庫扉は、互いに異なる方向から開放される、
紙葉類処理装置。
【請求項２】
前記収納庫は紙葉類を収納する複数の収納部を有している、請求項１記載の紙葉類処理装置。
【請求項３】
複数の前記収納部の少なくとも１つが前記収納庫から引き出し可能に構成されている、請求項２記載の紙葉類処理装置。
【請求項４】
複数の前記収納部の少なくとも２つが前記収納庫から互いに異なる方向に引き出し可能に構成されている、請求項３記載の紙葉類処理装置。
【請求項５】
複数の前記収納部の少なくとも１つは、少なくとも１以上の他の収納部が引き出されていないことを条件の１つとして引き出しが許可されるように構成されている、請求項４記載の紙葉類処理装置。
【請求項６】
前記収納庫は、複数の前記収納部が配置される領域を複数に分ける隔壁を有する、請求項２乃至５のいずれかに記載の紙葉類処理装置。
【請求項７】
前記隔壁が水平方向に延在する、請求項６記載の紙葉類処理装置。
【請求項８】
前記隔壁が鉛直方向に延在する、請求項６記載の紙葉類処理装置。
【請求項９】
前記開口と前記搬送部が設けられた処理部を更に有しており、
前記処理部は複数の前記収納部の上方に配置されている、請求項２乃至８のいずれかに記載の紙葉類処理装置。
【請求項１０】
前記収納部の少なくとも１つは種類別に紙葉類を収納する種類別収納部であり、前記収納部の少なくとも１つは回収される紙葉類を収納する回収用収納部である、請求項２乃至９のいずれかに記載の紙葉類処理装置。
【請求項１１】
複数の前記収納庫扉は解錠するための鍵又は解錠するために入力される情報がそれぞれ異なる、請求項１乃至１０のいずれかに記載の紙葉類処理装置。
【請求項１２】
複数の前記収納庫扉の少なくとも１つは、少なくとも１以上の他の収納庫扉が閉じていることを条件の１つとして開放が許可されるように構成されている、請求項１乃至１１のいずれかに記載の紙葉類処理装置。
【請求項１３】
複数の前記収納庫扉は第１の収納庫扉と第２の収納庫扉を含み、
複数の前記収納部は第１の収納部と第２の収納部を含み、
前記第１の収納部は、前記第１の収納庫扉によって開閉される開口のみを通じて前記収納庫から引き出し可能であり、
前記第２の収納部は、前記第２の収納庫扉によって開閉される開口のみを通じて前記収納庫から引き出し可能である、請求項２記載の紙葉類処理装置。
【請求項１４】
前記収納庫は、複数の前記収納部が配置される領域を、前記第１の収納部が配置される第１の領域と、前記第２の収納部が配置される第２の領域とに分ける隔壁を有する、請求項１３記載の紙葉類処理装置。
【請求項１５】
前記第１の収納部は種類別に紙葉類を収納する種類別収納部であり、前記第２の収納部は回収される紙葉類を収納する回収用収納部である、請求項１３又は１４に記載の紙葉類処理装置。
【請求項１６】
前記第１の収納部及び前記第２の収納部は、いずれも、他方が引き出されていないことを条件の１つとして引き出しが許可されるように構成されている、請求項１３乃至１５のいずれかに記載の紙葉類処理装置。
【請求項１７】
前記第１の収納庫扉及び前記第２の収納庫扉は、いずれも、他方が閉じていることを条件の１つとして開放が許可されるように構成されている、請求項１３乃至１６のいずれかに記載の紙葉類処理装置。
【請求項１８】
前記開口及び前記第１の収納庫扉は前記紙葉類処理装置の前方に設けられており、
前記第２の収納庫扉は前記紙葉類処理装置の後方に設けられている、請求項１３乃至１７のいずれかに記載の紙葉類処理装置。
【発明の詳細な説明】
【技術分野】
【０００１】
本発明は、投入された紙葉類を内部に収納する、又は、内部に収納された紙葉類を排出する紙葉類処理装置、及び紙葉類処理方法に関する。
【背景技術】
【０００２】
従来、紙幣等の紙葉類を真偽、正損、金種等の種類別に分類して収納する紙葉類処理装置が使用されている。紙葉類処理装置の中には、投入部と排出部が前方に設けられた処理部と、処理部の下に設けられた紙葉類を収納する金庫を有するものがある。
【０００３】
このような紙葉類処理装置の一つが特許文献１に開示されている。特許文献１に開示されている紙葉類処理装置は、前面側上部に、入金用の紙幣が外部から投入される投入部が設けられており、投入部の上方かつ後方に、リジェクト紙幣や出金用の紙幣が繰り出される払出部が設けられている。また、この紙葉類処理装置は、前方カセット及び８台の収納庫等が設けられた下部ユニットを有している。この下部ユニットは前方に開口する直方体の箱状の筐体と、この筐体の前部開口を開閉する蓋体とを有している。
【０００４】
特許文献１に開示された紙葉類処理装置においては、蓋体が蓋体回転軸を中心に回動して開状態となった後に、筐体の内部に配置された前方カセット及び８台の収納庫にアクセスすることができる。
【先行技術文献】
【特許文献】
【０００５】
【特許文献１】特開２０１７−２７１９８号公報
【発明の概要】
【発明が解決しようとする課題】
【０００６】
特許文献１に開示される紙葉類処理装置を、銀行等の施設に設置する場合、当該施設のスタッフ又は顧客等の操作者によって、投入部又は払出部を通じて紙葉類の投入又は払出の操作が行われる。また、警備輸送業者等の作業者によって、蓋体を回動して開状態とした後に、筐体の内部に配置された前方カセットの交換等の操作が行われる。
【０００７】
特許文献１に開示される紙葉類処理装置においては、操作者に使用される投入部及び払出部の設置位置と、作業者が開閉する蓋体の設置位置が、いずれも紙葉類処理装置の前方である。よって、例えば操作者が入金部から紙葉類を投入する操作を行っているときには、紙葉類処理装置の前に操作者がいるため、作業者は蓋体を開くことができない。仮に開くことが可能であったとしても、すぐ近くに操作者又は不特定多数の者がいる状態で蓋体を開く作業を行うことは、不測の事態を招く恐れがあり好ましくない。
【０００８】
本発明は、このような状況に鑑みなされたもので、紙葉類処理装置の操作性を向上させること課題とする。
【課題を解決するための手段】
【０００９】
本発明に係る紙葉類処理装置は、紙葉類の投入及び排出の少なくとも一方が行われる開口を有する開口部と、施錠可能な収納庫扉を複数有する収納庫と、前記開口と前記収納庫との間で紙葉類を搬送する搬送部とを備え、複数の前記収納庫扉は、互いに異なる方向から開放される。
【発明の効果】
【００１０】
本発明によれば、紙葉類処理装置の操作性を向上させることができる。
【図面の簡単な説明】
【００１１】
【図１】本発明の第１の実施形態に係る紙葉類処理装置の右側面模式図である。
【図２】本発明の第１の実施形態に係る紙葉類処理装置の平面模式図である。
【図３】本発明の第２の実施形態に係る紙葉類処理装置の右側面模式図である。
【図４】本発明の第３の実施形態に係る紙葉類処理装置の平面模式図である。
【図５】本発明の第４の実施形態に係る紙葉類処理装置の平面模式図である。
【図６】本発明の第５の実施形態に係る紙葉類処理装置の平面模式図である。
【発明を実施するための形態】
【００１２】
以下、本発明について、図面を参照しながら詳細に説明する。なお、以下の説明において、紙葉類処理装置の「前」とは、紙葉類の投入及び排出の少なくとも一方の操作を処理部に設けられた開口を介して行う操作者側を意味する。言い換えると、紙葉類処理装置の「前」とは、紙葉類の投入及び排出の少なくとも一方の操作を行うための開口が設けられた側を意味する。また、紙葉類処理装置の「後」とは、その反対側を意味する。また、紙葉類処理装置の「左」とは、前記操作者から見て左側を意味し、紙葉類処理装置の「右」とは、前記操作者からみて右側を意味する。
【００１３】
また、「リジェクト紙幣」とは、所定の処理で処理対象とできない紙幣をいう。「リジェクト紙幣」には、例えば、偽札や、後述する識別部を斜行状態や重送状態で通過したために識別部によって正しく識別されなかった紙幣が含まれる。「正券」とは、汚れや破れ等が比較的少ない状態の紙幣をいい、「損券」とは、汚れや破れ等が比較的多い状態の紙幣をいう。
【００１４】
（１）第１の実施形態
図１に本発明の第１の実施形態に係る紙葉類処理装置としての紙幣処理装置１の右側面視模式図を示す。また、図２に紙幣処理装置１を構成する収納庫２０の平面視模式図を示す。図１及び図２において、左側が紙幣処理装置１の前方、右側が同後方である。なお、図１には、後述する第１収納庫扉２２１及び第２収納庫扉２２２が閉じられている状態が示されており、図２には、第１収納庫扉２２１及び第２収納庫扉２２２が開かれている状態が示されている。
【００１５】
紙幣処理装置１は、紙葉類としての紙幣を入出金する紙幣入出金機である。紙幣処理装置１は、処理部１０及び処理部１０の下方に設けられた収納庫２０を備える。
【００１６】
処理部１０は上部筐体１１によって囲われている。上部筐体１１の前方、すなわち処理部１０の前方には、入金口（開口）１２１と出金口（開口）１３１が設けられている。上部筐体１１内、すなわち処理部１０内には、搬送部１５、識別部１６、一時保留部１７及び制御部１８が配置されている。
【００１７】
入金口１２１の近傍には、所定の周期で紙幣を１枚ずつ搬送部１５に繰り出す紙幣繰り出し機構（図示略）が配置されている。入金口１２１と紙幣繰り出し機構によって入金部１２が構成されている。
【００１８】
出金口１３１の近傍には、紙幣を積み重ねる集積機構（図示略）が配置されている。出金口１３１と集積機構によって出金部１３が構成されている。必要に応じて、出金部１３と同様の構成を有する第２出金部１４を出金部１３の隣に設けてもよい。
【００１９】
なお、処理部１０の前方には、必要に応じて入金部１２と出金部１３のいずれか一方のみが設けられていてもよい。また、紙幣の入金及び出金の両方が行われる開口が設けられるとともに、この開口の周囲に紙幣繰り出し機構及び集積機構が配置されることによって、入出金部が設けられていてもよい。
【００２０】
搬送部１５は、紙幣を所定の搬送速度で搬送する。搬送部１５は、紙幣を搬送するベルト機構やローラ機構によって構成されている。搬送部１５は、紙幣を双方向に搬送可能とするループ状搬送路１５０と、このループ状搬送路１５０から分岐する第１分岐路１５１、第２分岐路１５２、第３分岐路１５３及び第４分岐路１５４を有している。第１分岐路１５１〜第４分岐路１５４は、それぞれ、ループ状搬送路１５０と入金部１２、出金部１３、一時保留部１７、並びに、後述する第１収納部２５１及び第２収納部２５２とを接続する。
【００２１】
識別部１６は、画像センサ、光学センサ、磁気センサ等のセンサを備えており、搬送部１５で搬送される紙幣の真偽、金種、正損等を識別する。
【００２２】
一時保留部１７は、紙幣を一時的に収納する。一時保留部１７は、紙幣を１枚ずつ取り込んで収納し、収納している紙幣を１枚ずつ繰り出す。一時保留部１７は、例えば、複数の紙葉類が回転体に巻き取られた状態で収納される巻き取り式の収納部で構成することができる。また、一時保留部１７は、複数の紙葉類が積層状態で収納される積層式の収納部で構成されていてもよい。
【００２３】
制御部１８は、少なくともＣＰＵとメモリを備えている。制御部１８は、搬送部１５を介して、入金部１２、出金部１３、一時保留部１７、第１収納部２５１、及び、第２収納部２５２の間で紙幣が搬送されるように、紙幣処理装置１を構成する各部を制御する。
【００２４】
収納庫２０は例えば金庫で構成することができる。収納庫２０は、前方及び後方に開口を有する下部筐体２１を形成する。また、収納庫２０は、下部筐体２１の前方の開口を開閉する施錠可能な第１収納庫扉２２１と、下部筐体２１の後方の開口を開閉する施錠可能な第２収納庫扉２２２を有している。第１収納庫扉２２１を解錠するための鍵又は解錠するために入力される情報と、第２収納庫扉２２２を解錠するための鍵又は解錠するために入力される情報は異なる。
【００２５】
下部筐体２１内には、前方の開口から水平方向に引き出し可能な第１収納ユニット２３１と、後方の開口から水平方向に引き出し可能な第２収納ユニット２３２が配置されている。なお、第１収納ユニット２３１と第２収納ユニット２３２の間には、図1中に破線で示される隔壁２４を設けてもよい。その場合、隔壁２４は鉛直方向に延在する。
【００２６】
第１収納ユニット２３１内には、紙幣が種類別に収納される種類別収納部である第１収納部２５１が配置されており、第２収納ユニット２３２内には、回収される紙幣が収納される回収用収納部である第２収納部２５２が配置されている。ただし、第１収納ユニット２３１内及び第２収納ユニット２３２内の両方に種類別収納部が配置されてもよいし、第１収納ユニット２３１内及び第２収納ユニット２３２内の両方に回収用収納部が配置されてもよい。なお、複数の回収用収納部が配置される場合は、一方の回収用収納部から紙幣を回収する者と、他方の回収用収納部から紙幣を回収する者を互いに異なる者（例えば、銀行と警備輸送業者）とすることができる。
【００２７】
第１収納部２５１及び第２収納部２５２はいずれも第４分岐路１５４を介して搬送部１５に接続されている。
【００２８】
第１収納部２５１及び第２収納部２５２は、ぞれぞれ、複数の紙葉類が積層状態で収納される積層式の収納領域、又は、複数の紙葉類が回転体に巻き取られた状態で収納される巻き取り式の収納領域を有する収納部である。なお、回収用収納部として使用される収納部は、駆動部分のない収納袋又は収納箱であってもよい。
【００２９】
本実施形態に係る紙幣処理装置１においては、第２収納部２５２は、収納庫２０の後方に設けられている第２収納庫扉２２２を開き、図２に矢印で示されるように第２収納ユニット２３２を後方に引き出すことで、収納庫２０外に引き出される。よって、仮に、紙幣処理装置１の前方側に、入金部１２や出金部１３を操作する操作者や不特定多数の者がいても、それらの者に妨害される恐れなく、紙幣処理装置１の後方で紙幣の回収作業を行うことができる。
【００３０】
また、従来、紙幣処理装置の稼働（例えば紙幣搬送）中に紙幣処理装置から収納ユニット又は収納部が引き出された場合、紙幣処理装置の稼働を強制的に中断する制御が行われていた。また、収納ユニット又は収納部が引き出された状態にある場合、紙幣処理装置の稼働を禁止する制御が行われていた。このような制御は、例えば銀行のスタッフのような、入金部又は出金部を介した操作を行う操作者の作業を妨げるものであった。また、収納ユニット又は収納部を引き出す作業、例えば警備輸送業者の作業者による回収作業を優先すると、上記操作者に待機時間が発生し、上記操作者による操作を優先すると当該作業者に待機時間が発生するという問題があった。
【００３１】
これに対し、本実施形態に係る紙幣処理装置１においては、紙幣処理装置１の稼働中に、図２に矢印で示されるように第２収納ユニット２３２を後方に引き出されたとしても、特定の処理は中断されることなく継続することができる。そのような処理としては、例えば、第２収納部２５２を使用しない処理である一部入金処理、出金処理、又は精査処理が挙げられる。また、第２収納ユニット２３２が引き出されている最中に、これらの処理を開始することも可能である。
【００３２】
また、従来、紙幣処理装置が銀行内のセキュリティエリア等に設置された場合、警備輸送業者等の作業者による紙幣回収作業に、銀行のスタッフが立ち会う必要があった。これは当該スタッフにとっては煩わしいものであり、一方、当該スタッフが忙しいときには、警備輸送業者に待機時間が発生するという問題があった。さらには、警備輸送業者は紙幣回収作業にかかった時間に基づきサービス費用を請求する場合があるため、警備輸送業者の作業者を待機させるとサービス費用が余分にかかってしまうという問題があった。
【００３３】
そこで、本実施形態に係る紙幣処理装置１は、図１及び図２に示されるように、壁Ｗに設けられた貫通孔Ｈに途中まで挿入された状態で設置することができる。この場合において、紙幣処理装置１の後方がクローズドエリア（例えば警備輸送業者の専用通路又は専用室）に配置されるようにすれば、銀行のスタッフが立ち会うことなく、第２収納庫扉２２２を開いて紙幣の回収作業を作業者が行うことができる。
【００３４】
また、本実施形態に係る紙幣処理装置１は、その後方の第２収納庫扉２２２に加え、その前方に第１収納庫扉２２１を有している。よって、紙幣処理装置１をその前方で操作しているときにエラーが発生したとしても、紙幣処理装置１の後方、すなわち壁Ｗの反対側に移動することなく対処することができる。よって、紙幣処理装置１の前方に設けられた第１収納庫扉２２１を開いて、図２に矢印で示されるように第１収納ユニット２３１を手前側に引き出して、迅速にエラー解除作業を行うことができる。
【００３５】
また、第１収納庫扉２２１を解錠するための鍵又は解錠するために入力される情報は、第２収納庫扉２２２を解錠するための鍵又は解錠するために入力される情報と異なる。よって、第１収納庫扉２２１を解錠する権限しか有さない者が、第２収納部２５２にアクセスしたり、逆に、第２収納庫扉２２２を解錠する権限しか有さない者が、第１収納部２５１にアクセスしたりすることを防止できる。第１収納庫扉２２１を解錠する権限しか有さない者とは、例えば銀行等の紙幣処理装置１を設置した施設のスタッフであり、第２収納庫扉２２２を解錠する権限しか有さない者とは、警備輸送業者の作業者である。
【００３６】
本実施形態に係る紙幣処理装置１においては、第１収納部２５１及び第２収納部２５２が配置される領域である下部筐体２１の内部を、隔壁２４によって２つに分けることが可能である。この場合、前方の開口を通じて第２収納ユニット２３２側にアクセスすることはできず、後方の開口を通じて第１収納ユニット２３１側にアクセスすることはできない。したがって、第１収納庫扉２２１を解錠する権限しか有さない者が、第２収納部２５２にアクセスしたり、逆に、第２収納庫扉２２２を解錠する権限しか有さない者が、第１収納部２５１にアクセスしたりすることをより確実に防止することができる。
【００３７】
なお、本実施形態に係る紙幣処理装置１においては、処理部１０が第１収納部２５１と第２収納部２５２に跨がるようにそれらの上方に配置されている。よって、隔壁２４を設け、第１収納部２５１と第２収納部２５２とを互いに隔離された状態にしても、第１収納部２５１と第２収納部２５２との間で、搬送部１５を介して紙幣を搬送することが可能である。
【００３８】
また、本実施形態に係る紙幣処理装置１は、その構造上、収納庫２０から１方向に全ての収納部（第１収納部２５１及び第２収納部２５２）を引き出すことはできない。よって、収納庫２０から１方向に全ての収納部が引き出されることによって、紙幣処理装置１の重量バランスが崩れ、紙幣処理装置１がずれたり転倒したりすることを未然に防止することができる。また、各収納部を引き出すために確保すべきスペースはそれぞれ小さくて済むので、本実施形態に係る紙幣処理装置１は、収納庫２０から１方向に全ての収納部を引き出す場合には設置できないような場所にも設置することができる。更に、本実施形態に係る紙幣処理装置１は、各収納部を引き出すための最大引き出し距離が短くて済むので、最も奥に配置されている収納部にも容易にアクセスすることができる。
【００３９】
また、図２に示されるように、収納庫２０は、第１収納ユニット２３１が引き出されているか否かを検知することができる第１収納ユニットセンサ２６１を有していてもよい。また、収納庫２０は、第２収納ユニット２３２が引き出されているか否かを検知することができる第２収納ユニットセンサ２６２を有していてもよい。これらのセンサは、例えば、各収納ユニットが下部筐体２１内に配置されている際に各収納ユニットに接触し、信号を出力する接触式センサとすることができる。これらのセンサから出力された信号は制御部１８に入力される。
【００４０】
また、収納庫２０は、第２収納ユニット２３２が引き出されていることが第２収納ユニットセンサ２６２によって検知されたときに、第１収納ユニット２３１が引き出されることを防止する第１収納ユニットロック機構２７１を有していてもよい。更に、収納庫２０は、第１収納ユニット２３１が引き出されていることが第１収納ユニットセンサ２６１によって検知されたときに、第２収納ユニット２３２が引き出されることを防止する第２収納ユニットロック機構２７２を有していてもよい。これらのロック機構は、例えば、下部筐体２１から各収納ユニットに向けて出没する閂を有する機構である。これらのロック機構は制御部１８によって制御される。
【００４１】
これらのセンサ及びロック機構が備わっている場合、第２収納ユニット２３２が引き出されていないことが第１収納ユニット２３１の引き出しを許可する条件の１つとすることができる。また、第１収納ユニット２３１が引き出されていないことが第２収納ユニット２３２の引き出しを許可する条件の１つとすることができる。この場合、第１収納ユニット２３１（つまり、第１収納部２５１）と第２収納ユニット２３２（つまり、第２収納部２５２）が同時期に引き出されることが防止される。よって、複数の収納ユニット（つまり、収納部）が引き出されることによって、紙幣処理装置１の重量バランスが崩れ、紙幣処理装置１がずれたり転倒したりすることを未然に防止することができる。
【００４２】
また、図２に示されるように、収納庫２０は、第１収納庫扉２２１が開放されているか否かを検知することができる第１収納庫扉センサ２８１を有していてもよい。また、収納庫２０は、第２収納庫扉２２２が開放されているか否かを検知することができる第２収納庫扉センサ２８２を有していてもよい。これらのセンサは、例えば、各収納庫扉が閉じている際に各収納庫扉に接触し、信号を出力する接触式センサとすることができる。これらのセンサから出力された信号は制御部１８に入力される。
【００４３】
また、収納庫２０は、第２収納庫扉２２２が開放されていることが第２収納庫扉センサ２８２によって検知されたときに、第１収納庫扉２２１が開放されることを防止する第１収納庫扉ロック機構２９１を有していてもよい。更に、収納庫２０は、第１収納庫扉２２１が開放されていることが第１収納庫扉センサ２８１によって検知されたときに、第２収納庫扉２２２が開放されることを防止する第２収納庫扉ロック機構２９２を有していてもよい。これらのロック機構は、例えば、下部筐体２１から各収納庫扉に向けて出没する閂を有する機構である。これらのロック機構は制御部１８によって制御される。
【００４４】
これらのセンサ及びロック機構が備わっている場合、第１収納庫扉２２１が開放されていないことが第２収納庫扉２２２の開放を許可する条件の１つとすることができる。また、第２収納庫扉２２２が開放されていないことが第１収納庫扉２２１の開放を許可する条件の１つとすることができる。この場合、第１収納庫扉２２１と第２収納庫扉２２２が同時期に開放されることが防止される。よって、例えばエラー解除等、一方の収納庫扉を開放して行う作業が行われている最中に、他方の収納庫扉が開放されて他の作業が行われ、２つの作業が互いに影響を及ぼしあうことを未然に防止することができる。
【００４５】
なお、扉を１つずつ有する２つの金庫を、互いに背面合わせとなるように隣接配置することで収納庫２０を構成することも可能である。この場合、隔壁は各金庫の背面側側壁によって構成される二重隔壁となる。
【００４６】
（２）第２の実施形態
図３に本発明の第２の実施形態に係る紙葉類処理装置としての紙幣処理装置１の右側面視模式図を示す。図３において、左側が紙幣処理装置１の前方、右側が同後方である。以下、先の実施形態に係る紙幣処理装置１と異なる点を中心に説明する。
【００４７】
本実施形態に係る紙幣処理装置１は、先の実施形態に係る紙幣処理装置１と比較すると、収納庫２０の構成が異なる。すなわち、本実施形態に係る紙幣処理装置１が備える収納庫２０においては、種類別収納部である第１収納部２５１が下部筐体２１の上側に配置されており、回収用収納部である第２収納部２５２が下部筐体２１の下側に配置されている。ただし、下部筐体２１の上側及び下側の両方に種類別収納部が配置されてもよいし、下部筐体２１の上部及び下部の両方に回収用収納部が配置されてもよい。なお、複数の回収用収納部が配置される場合は、一方の回収用収納部から紙幣を回収する者と、他方の回収用収納部から紙幣を回収する者を互いに異なる者（例えば、銀行と警備輸送業者）とすることができる。
【００４８】
具体的には、収納庫２０は、前方上部及び後方下部に開口を有する下部筐体２１を形成する。また、収納庫２０は、下部筐体２１の前方上部の開口を開閉する施錠可能な第１収納庫扉２２１と、下部筐体２１の後方下部の開口を開閉する施錠可能な第２収納庫扉２２２を有している。第１収納庫扉２２１を解錠するための鍵又は解錠するために入力される情報と、第２収納庫扉２２２を解錠するための鍵又は解錠するために入力される情報は異なる。なお、収納庫２０の構成はこのようなものには限られない。例えば、下部筐体２１は前方下部及び後方上部に開口を有しており、これらの開口それぞれを、第１収納庫扉２２１及び第２収納庫扉２２２が開閉してもよい。
【００４９】
下部筐体２１内には、前方上部の開口から前方に向けて水平に引き出し可能な第１収納ユニット２３１と、後方下部の開口から後方に向けて水平に引き出し可能な第２収納ユニット２３２が配置されている。なお、第１収納ユニット２３１と第２収納ユニット２３２の間には、図３中に破線で示される隔壁２４を設けてもよい。その場合、隔壁２４は水平方向に延在する。
【００５０】
第１収納ユニット２３１内には第１収納部２５１が配置されている。第１収納部２５１は第４分岐路１５４を介して搬送部１５に接続されている。また、第２収納ユニット２３２内には第２収納部２５２が配置されている。第１収納部２５２は第４分岐路１５４を介して搬送部１５に接続されている。また、収納庫２０は鉛直搬送路３０を有している。鉛直搬送路３０は、第１収納ユニット２３１を鉛直方向に貫通するとともに第４分岐路１５４を介して第２収納部２５２と搬送部１５とを接続する。鉛直搬送路３０は第１収納ユニット２３１とともに水平方向に移動可能である。
【００５１】
第１収納部２５１は、複数の紙葉類が上下方向、又は、紙幣処理装置１の前後方向に積層された状態で収納される積層式の収納領域、若しくは、複数の紙葉類が回転体に巻き取られた状態で収納される巻き取り式の収納領域を有する収納部である。また、第２収納部２５２は、紙幣処理装置１の前後方向に細長く延在する形状を有する収納部である。第２収納部２５２内においては、複数の紙葉類が紙幣処理装置１の前後方向、又は、上下方向に並ぶように積層されて収納される。
【００５２】
本実施形態に係る紙幣処理装置１においては、第２収納部２５２は、収納庫２０の後方に設けられている第２収納庫扉２２２を開き、第２収納ユニット２３２を後方に引き出すことで、収納庫２０外に引き出される。よって、本実施形態に係る紙幣処理装置１も、先の実施形態に係る紙幣処理装置１と同様の利点を得ることができる。例えば、仮に、紙幣処理装置１の前方側に、入金部１２や出金部１３を操作する操作者や、不特定多数の者がいても、それらの者に妨害される恐れなく、紙幣処理装置１の後方で紙幣の回収作業を行うことができる。また、例えば、一部入金処理、出金処理、又は精査処理といった、第２収納部２５２を使用しない処理が行われている最中に第２収納部２５２が引き出されてもそれらの処理を継続することができる。また、第２収納部２５２が引き出されている状態でも、そのような処理を開始することができる。
【００５３】
また、本実施形態に係る紙幣処理装置１においても、先の実施形態に係る紙幣処理装置１と同様に、第１収納ユニットセンサ２６１、第２収納ユニットセンサ２６２、及び第２収納ユニットロック機構２７２を収納庫２０に設けてもよい。また、本実施形態に係る紙幣処理装置１においても、先の実施形態に係る紙幣処理装置１と同様に、第１収納庫扉センサ２８１、第２収納庫扉センサ２８２、第２収納庫扉ロック機構２９２、及び、第１収納庫扉ロック機構２９１を収納庫２０に設けてもよい。
【００５４】
なお、扉を１つずつ有する２つの金庫を、扉が互いに逆方向を向くように上下に積み重ねて収納庫２０を構成することも可能である。この場合、隔壁は上側金庫の底部壁と下側金庫の天井壁によって構成される二重隔壁となる。
【００５５】
（３）第３の実施形態
図４に本発明の第３の実施形態に係る紙葉類処理装置としての紙幣処理装置１を構成する収納庫２０の平面視模式図を示す。図４において、左側が紙幣処理装置１の前方、右側が同後方である。以下、第１の実施形態に係る紙幣処理装置１と異なる点を中心に説明する。
【００５６】
本実施形態に係る紙幣処理装置１は、第１の実施形態に係る紙幣処理装置１と比較すると、収納庫２０の構成が異なる。すなわち、本実施形態に係る紙幣処理装置１が備える収納庫２０は、左右両側面から収納部が引き出されるように構成されている。
【００５７】
具体的には、収納庫２０は、右側面前方及び左側面後方に開口を有する下部筐体２１を形成する。また、収納庫２０は右側面前方の開口を開閉する施錠可能な第１収納庫扉２２１と、左側面後方の開口を開閉する施錠可能な第２収納庫扉２２２を有している。第１収納庫扉２２１を解錠するための鍵又は解錠するために入力される情報と、第２収納庫扉２２２を解錠するための鍵又は解錠するために入力される情報は異なる。
【００５８】
更に、第１収納庫扉２２１には、下部筐体２１内に配置された第１収納ユニット２３１が結合されている。第１収納庫扉２２１及び第１収納ユニット２３１は、下部筐体２１の右側面前方の開口から右側に向かって水平に一体的に引き出し可能に構成されている。
【００５９】
また、第２収納庫扉２２２には、下部筐体２１内に配置された第２収納ユニット２３２が結合されている。第２収納庫扉２２２及び第２収納ユニット２３２は、下部筐体２１の左側面後方の開口から左側に向かって水平に一体的に引き出し可能に構成されている。
【００６０】
下部筐体２１内の第１収納ユニット２３１と第２収納ユニット２３２の間の位置には、図４中に破線で示される隔壁２４を設けてもよい。その場合、隔壁２４は鉛直方向に延在する。
【００６１】
第１収納ユニット２３１内には、紙幣を種類別に収納する種類別収納部である第１収納部２５１が配置されており、第２収納ユニット２３２内には、回収される紙幣が収納される回収用収納部である第２収納部２５２が配置されている。ただし、第１収納ユニット２３１内及び第２収納ユニット２３２内の両方に種類別収納部が配置されてもよいし、第１収納ユニット２３１内及び第２収納ユニット２３２内の両方に回収用収納部が配置されてもよい。なお、複数の回収用収納部が配置される場合は、一方の回収用収納部から紙幣を回収する者と、他方の回収用収納部から紙幣を回収する者を互いに異なる者（例えば、銀行と警備輸送業者）とすることができる。
【００６２】
第１収納部２５１及び第２収納部２５２はいずれも第４分岐路１５４（図１参照）を介して搬送部１５に接続されている。
【００６３】
また、下部筐体２１の右側面後方には、下部筐体２１の内部を目視することが可能な窓４０が設けられている。
【００６４】
本実施形態に係る紙幣処理装置１においては、図４中に矢印で示されるように、収納庫２０の左側面後方に設けられている第２収納庫扉２２２を第２収納ユニット２３２とともに左側に向けて引き出すことによって、第２収納部２５２は収納庫２０外に引き出される。よって、本実施形態に係る紙幣処理装置１も、第１の実施形態に係る紙幣処理装置１と同様の利点を得ることができる。例えば、仮に、紙幣処理装置１の前方側に、入金部１２や出金部１３を操作する操作者や、不特定多数の者がいても、それらの者に妨害される恐れなく、紙幣処理装置１の後方で紙幣の回収作業を行うことができる。また、例えば、一部入金処理、出金処理、又は精査処理といった、第２収納部２５２を使用しない処理が行われている最中に第２収納部２５２が引き出されてもそれらの処理を継続することができる。また、第２収納部２５２が引き出されている状態でも、そのような処理を開始することができる。
【００６５】
また、本実施形態に係る紙幣処理装置１においては、図４中に矢印で示されるように、収納庫２０の右側面前方に設けられている第１収納庫扉２２１を第１収納ユニット２３１とともに右側に向けて引き出すことによって、第１収納部２５１は収納庫２０外に引き出される。よって、本実施形態に係る紙幣処理装置１は、紙幣処理装置１の前方や後方に第１収納ユニット２３１又は第２収納ユニット２３２を引き出すのに十分なスペースが確保できない場所にも設置することができる。
【００６６】
例えば、図４に示されるように、２つの壁Ｗがなす隅部に貫通孔Ｈを設けておけば、この貫通孔Ｈに第２収納庫扉２２２の位置を合わせることで、この隅部を構成する２つの壁Ｗに沿わせて、紙幣処理装置１を配置することが可能である。
【００６７】
この場合、第２収納部２５２が引き出される側の空間と、紙幣処理装置１が設置されている側の空間とが、壁Ｗによって隔離される。よって、紙幣処理装置１の前方側に、入金部１２や出金部１３を操作する操作者や、不特定多数の者がいても、それらの者に妨害される恐れなく、第２収納部２５２の引き出し作業を隔離された空間で行うことができる。
【００６８】
更に、本実施形態に係る紙幣処理装置１は窓４０を有しているので、紙幣処理装置１の右側にいる者が、第２収納庫扉２２２を空けることなく、窓４０を通じて、第２収納部２５２の状態を迅速に目視確認することができる。例えば、第２収納部２５２が収納袋である場合、第２収納部２５２に収納されている紙幣のおおよその量を確認することができる。また、第２収納部２５２が適切に取り付けられているか否かを確認することができる。なお、窓４０の取り付け位置は紙幣処理装置１の右側に限られないことは勿論であり、紙幣処理装置１の設置位置に応じて、後方や上方とすることも可能である。
【００６９】
また、本実施形態に係る紙幣処理装置１においても、図２に示される第１の実施形態に係る紙幣処理装置１と同様に、収納庫２０は、第１収納ユニットセンサ２６１、第２収納ユニットセンサ２６２、及び第２収納ユニットロック機構２７２を有していてもよいことは勿論である。また、本実施形態に係る紙幣処理装置１においても、図２に示される第１の実施形態に係る紙幣処理装置１と同様に、収納庫２０は、第１収納庫扉センサ２８１、第２収納庫扉センサ２８２、第２収納庫扉ロック機構２９２、及び、第１収納庫扉ロック機構２９１を有していてもよいことは勿論である。
【００７０】
なお、扉を１つずつ有する２つの金庫を、互いの右側面同士又は左側面同士が接触するように隣接配置して収納庫２０を構成することも可能である。この場合、隔壁は各金庫の側壁によって構成される二重隔壁となる。
【００７１】
（４）第４の実施形態
図５に本発明の第４の実施形態に係る紙葉類処理装置としての紙幣処理装置１を構成する収納庫２０の平面視模式図を示す。図５において、左側が紙幣処理装置１の前方、右側が同後方である。以下、第１の実施形態に係る紙幣処理装置１と異なる点を中心に説明する。
【００７２】
本実施形態に係る紙幣処理装置１が備える収納庫２０は、前方向、右方向及び左方向の３方向に収納部を引き出すことができるように構成されている。
【００７３】
具体的には、収納庫２０は、前方、右側面中央及び左側面後方に開口を有する下部筐体２１を形成する。また、収納庫２０は前方の開口を開閉する施錠可能な第１収納庫扉２２１と、右側面中央の開口を開閉する施錠可能な第２収納庫扉２２２と、左側面後方の開口を開閉する施錠可能な第３収納庫扉２２３を有している。
【００７４】
下部筐体２１内には、前方の開口から前方に向かって水平に引き出し可能な第１収納ユニット２３１と、右側面中央の開口から右側に向かって水平に引き出し可能な第２収納ユニット２３２と、左側面後方の開口から左側に向かって水平に引き出し可能な第３収納ユニット２３３が配置されている。第１収納ユニット２３１と第２収納ユニット２３２の間、及び、第２収納ユニット２３２と第３収納ユニット２３３との間には、それぞれ、図５中に破線で示される隔壁２４を設けてもよい。その場合、各隔壁２４は鉛直方向に延在する。
【００７５】
第１収納ユニット２３１内には、紙幣を種類別に収納する種類別収納部である第１収納部２５１が配置されている。また、第２収納ユニット２３２内には、紙幣を種類別に収納する種類別収納部である第２収納部２５２が配置されている。また、第３収納ユニット２３３内には、回収される紙幣が収納される回収用収納部である第３収納部２５３が配置されている。ただし、各収納ユニット内に配置される収納部はこれらには限られず、必要に応じて適宜変更することが可能である。例えば、第１収納ユニット２３１内、第２収納ユニット２３２内及び第３収納ユニット２３３内の全てに種類別収納部が配置されてもよい。また、第１収納ユニット２３１内、第２収納ユニット２３２内及び第３収納ユニット２３３内の全てに回収用収納部が配置されてもよい。なお、複数の回収用収納部が配置される場合は、一方の回収用収納部から紙幣を回収する者と、他方の回収用収納部から紙幣を回収する者を互いに異なる者（例えば、銀行と警備輸送業者）とすることができる。
【００７６】
第１収納部２５１、第２収納部２５２及び第３収納部２５３はいずれも第４分岐路１５４（図１参照）を介して搬送部１５に接続されている。
【００７７】
本実施形態に係る紙幣処理装置１においては、第３収納部２５３は、収納庫２０の左側面後方に設けられている第３収納庫扉２２３を開き、第３収納ユニット２３３を左側に向けて引き出すことで、収納庫２０外に引き出される。よって、本実施形態に係る紙幣処理装置１によれば、仮に、紙幣処理装置１の前方側に、入金部１２や出金部１３を操作する操作者や、不特定多数の者がいても、それらの者に妨害される恐れなく、紙幣処理装置１の左側後方で紙幣の回収作業を行うことができる。また、例えば、一部入金処理、出金処理、又は精査処理といった、第２収納部２５２又は第３収納部２５３を使用しない処理が行われている最中に第２収納部２５２又は第３収納部２５３が引き出されてもそれらの処理を継続することができる。また、第２収納部２５２又は第３収納部２５３が引き出されている状態でも、そのような処理を開始することができる。
【００７８】
また、本実施形態に係る紙幣処理装置１においては、第１収納部２５１を収納庫２０から引き出す場合も、第２収納部２５２を収納庫２０から引き出す場合も、引き出し距離は短い。よって、収納部引き出し用に広いスペースを確保できない場所にも設置することができる。
【００７９】
また、第１収納庫扉２２１を解錠するための鍵又は解錠するために入力される情報と、第２収納庫扉２２２を解錠するための鍵又は解錠するために入力される情報と、第３収納庫扉２２３を解錠するための鍵又は解錠するために入力される情報を異なるものとすることが可能である。そのようにすることで、特定の収納部には特定の者しかアクセスできないようにすることができる。よって、より柔軟に紙幣処理装置１を運用することが可能となる。なお、３つの収納部に割り当てる機能が上で説明したものに限られないことは言うまでもない。例えば、第１収納部２５１及び第３収納部２５３を種類別収納部とし、第２収納部２５２を回収用収納部とすることも可能である。
【００８０】
また、本実施形態に係る紙幣処理装置１においても、第１の実施形態に係る紙幣処理装置１と同様に、収納庫２０は、第１収納ユニットセンサ２６１、第２収納ユニットセンサ２６２を有していてもよい。更に、収納庫２０は、第３収納ユニット２３３が引き出されているか否かを検知することができる第３収納ユニットセンサ２６３を有していてもよい。これらのセンサは、例えば、各収納ユニットが下部筐体２１内に配置されている際に各収納ユニットに接触し、信号を出力する接触式センサとすることができる。これらのセンサから出力された信号は制御部１８に入力される。
【００８１】
また、収納庫２０は、第２収納ユニット２３２又は第３収納ユニット２３３が引き出されていることが第２収納ユニットセンサ２６２又は第３収納ユニットセンサ２６３によって検知されたときに、第１収納ユニット２３１が引き出されることを防止する第１収納ユニットロック機構２７１を有していてもよい。また、収納庫２０は、第１収納ユニット２３１又は第３収納ユニット２３３が引き出されていることが第１収納ユニットセンサ２６１又は第３収納ユニットセンサ２６３によって検知されたときに、第２収納ユニット２３２が引き出されることを防止する第２収納ユニットロック機構２７２を有していてもよい。また、収納庫２０は、第１収納ユニット２３１又は第２収納ユニット２３２が引き出されていることが第１収納ユニットセンサ２６１又は第２収納ユニットセンサ２６２によって検知されたときに、第３収納ユニット２３３が引き出されることを防止する第３収納ユニットロック機構２７３を有していてもよい。これらのロック機構は、例えば、下部筐体２１から各収納ユニットに向けて出没する閂を有する機構である。これらのロック機構は制御部１８によって制御される。
【００８２】
これらのセンサ及びロック機構が備わっている場合、第２収納ユニット２３２と第３収納ユニット２３３の少なくとも一方が引き出されていないことを、第１収納ユニット２３１の引き出しを許可する条件の１つとすることができる。第２収納ユニット２３２及び第３収納ユニット２３３の引き出し許可条件についても同様である。すなわち、ある収納ユニットが引き出されているときに他の収納ユニットが引き出されることを防止することができる。よって、複数の収納ユニット（つまり、収納部）が同時期に引き出されることによって、紙幣処理装置１の重量バランスが崩れ、紙幣処理装置１がずれたり転倒したりすることを未然に防止することができる。
【００８３】
なお、同時期に引き出すことができる収納ユニットの数を、必要に応じて１つ、２つ又は３つとすることができることは言うまでもない。
【００８４】
また、本実施形態に係る紙幣処理装置１においても、第１の実施形態に係る紙幣処理装置１と同様に、収納庫２０は、第１収納庫扉センサ２８１、及び、第２収納庫扉センサ２８２
を有していてもよい。更に、収納庫２０は、第３収納庫扉２２３が開放されているか否かを検知することができる第３収納庫扉センサ２８３を有していてもよい。これらのセンサは、例えば、各収納庫扉が閉じている際に各収納庫扉に接触し、信号を出力する接触式センサとすることができる。これらのセンサから出力された信号は制御部１８に入力される。
【００８５】
また、収納庫２０は、第２収納庫扉２２２又は第３収納庫扉２２３が開放されていることが第２収納庫扉センサ２８２又は第３収納庫扉センサ２８３によって検知されたときに、第１収納庫扉２２１が開放されることを防止する第１収納庫扉ロック機構２９１を有していてもよい。また、収納庫２０は、第１収納庫扉２２１又は第３収納庫扉２２３が開放されていることが第１収納庫扉センサ２８１又は第３収納庫扉センサ２８３によって検知されたときに、第２収納庫扉２２２が開放されることを防止する第２収納庫扉ロック機構２９２を有していてもよい。更に、収納庫２０は、第１収納庫扉２２１又は第２収納庫扉２２２が開放されていることが第１収納庫扉センサ２８１又は第２収納庫扉センサ２８２によって検知されたときに、第３収納庫扉２２３が開放されることを防止する第３収納庫扉ロック機構２９３を有していてもよい。これらのロック機構は、例えば、下部筐体２１から各収納庫扉に向けて出没する閂を有する機構である。これらのロック機構は制御部１８によって制御される。
【００８６】
これらのセンサ及びロック機構が備わっている場合、第２収納庫扉２２２と第３収納庫扉２２３の少なくとも一方が開放されていないことを、第１収納庫扉２２１の開放を許可する条件の１つとすることができる。第２収納庫扉２２２及び第３収納庫扉２２３の開放許可条件についても同様である。すなわち、ある収納庫扉が開放されているときに他の収納庫扉が開放されることを防止することができる。よって、エラー解除等、ある収納庫扉を開放して行う作業が行われている最中に、他の収納庫扉が開放されて他の作業が行われ、２つ以上の作業が互いに影響を及ぼしあうことを未然に防止することができる。
【００８７】
なお、同時期に開放することができる収納庫扉の数を、必要に応じて１つ、２つ又は３つとすることができることは言うまでもない。
【００８８】
また、扉を１つずつ有する３つの金庫を、互いに隣接配置することで収納庫２０を構成することも可能である。この場合、２つの隔壁はいずれも、各金庫の側壁によって構成される二重隔壁となる。
【００８９】
（５）第５の実施形態
図６に本発明の第５の実施形態に係る紙葉類処理装置としての紙幣処理装置１を構成する収納庫２０の平面視模式図を示す。図６において、左側が紙幣処理装置１の前方、右側が同後方である。以下、第１の実施形態に係る紙幣処理装置１と異なる点を中心に説明する。
【００９０】
本実施形態に係る紙幣処理装置１は、第１の実施形態に係る紙幣処理装置１と比較すると、収納庫２０の構成が異なる。すなわち、本実施形態に係る紙幣処理装置１が備える収納庫２０は、単一の収納ユニットとして第１収納ユニット２３１を有し、第１収納ユニット２３１内に第１収納部２５１及び第２収納部２５２が配置されている。よって、前方及び後方のいずれの方向にも全ての収納部を引き出すことができる。
【００９１】
したがって、本実施形態に係る紙幣処理装置１においては、回収される紙幣が収納される第２収納部２５２は、収納庫２０の後方に設けられている第２収納庫扉２２２を開き、第１収納ユニット２３１を後方に引き出すことで、収納庫２０外に引き出される。よって、仮に、紙幣処理装置１の前方側に、入金部１２や出金部１３を操作する操作者や、不特定多数の者がいても、それらの者に妨害される恐れなく、紙幣処理装置１の後方で紙幣の回収作業を行うことができる。逆に、そのような懸念がない場合には、第１収納ユニット２３１を前方に引き出して、紙幣処理装置１の前方で紙幣の回収作業や、メンテナンス作業を行うことも可能である。
【００９２】
以上本発明の実施例について説明したが、本発明は上記実施例に限定されるものではなく、本発明の趣旨を逸脱しない範囲で種々の変更が可能である。例えば、収納庫からの収納ユニット（収納部）の引き出し方向は、紙幣処理装置の前方、後方、右方向又は左方向には限られない。すなわち、紙幣処理装置の上方に引き出すことも可能であるし、貫通孔を有する床面上に紙幣処理装置を設置することによって、下方に引き出すことも可能である。
【００９３】
また、紙葉類処理装置は紙幣処理装置に限定されず、小切手や伝票などの紙や樹脂から作られたシート類を含む紙葉類を処理する装置であってもよい。
【産業上の利用可能性】
【００９４】
本発明は、紙葉類を種類別に収納する紙葉類処理装置に適用することで、紙葉類処理装置の操作性を向上させることができるので、その産業上の利用可能性は多大である。
【符号の説明】
【００９５】
１  紙幣処理装置
１０  処理部
１１  上部筐体
１２  入金部
１２１  入金口（開口）
１３  出金部
１３１  出金口（開口）
１４  第２出金部
１５  搬送部
１５０  ループ状搬送路
１５１  第１分岐路
１５２  第２分岐路
１５３  第３分岐路
１５４  第４分岐路
１６  識別部
１７  一時保留部
１８  制御部
２０  収納庫
２１  下部筐体
２２１  第１収納庫扉
２２２  第２収納庫扉
２２３  第３収納庫扉
２３１  第１収納ユニット
２３２  第２収納ユニット
２３３  第３収納ユニット
２４  隔壁
２５１  第１収納部
２５２  第２収納部
２５３  第３収納部
２６１  第１収納ユニットセンサ
２６２  第２収納ユニットセンサ
２６３  第３収納ユニットセンサ
２７１  第１収納ユニットロック機構
２７２  第２収納ユニットロック機構
２７３  第３収納ユニットロック機構
２８１  第１収納庫扉センサ
２８２  第２収納庫扉センサ
２８３  第３収納庫扉センサ
２９１  第１収納庫扉ロック機構
２９２  第２収納庫扉ロック機構
２９３  第３収納庫扉ロック機構
３０  鉛直搬送路
４０  窓
Ｗ  壁
Ｈ  貫通孔
【図１】
2018152030.tif 000003
【図２】
2018152030.tif 000004
【図３】
2018152030.tif 000005
【図４】
2018152030.tif 000006
【図５】
2018152030.tif 000007
【図６】
2018152030.tif 000008